(57)【要約】【課題】ローターケースの低速回転の際、前記固定部に対して傾いた状態で回転することで均一な回転が可能であり、光ディスクのラベル面形成のためのスピンドルモーターに具現される場合、ラベル面のイメージ品質が向上するスピンドルモーターを提供する。【解決手段】マグネット２１３を備えるローターケース２１２と回転軸２１４を含む回転部２１０；及び回転部２１０を回転可能に支持し、マグネット２１３に対向する電気子を備える固定部２２０；を含み、ローターケース２１２の低速回転の際、回転軸２１４は固定部２２０に対する垂直方向に対して傾いた状態で回転する。【選択図】図２
2012034563.tif 000002
【特許請求の範囲】
【請求項１】
マグネットを備えるローターケースと回転軸を含む回転部；及び
前記回転部を回転可能に支持し、前記マグネットに対向する電気子を備える固定部；を含み、
前記ローターケースの低速回転の際、前記回転軸は前記固定部に対する垂直方向に対して傾いた状態で回転することを特徴とする、スピンドルモーター。
【請求項２】
前記ローターケースの低速回転の際、前記回転軸は前記固定部に対する垂直方向に対して１°〜１５°だけ傾いたことを特徴とする、請求項１に記載のスピンドルモーター。
【請求項３】
前記固定部は前記回転軸の下部を支持するスラストを含み、前記スラストは回転軸の円周方向で一側に傾いたことを特徴とする、請求項１に記載のスピンドルモーター。
【請求項４】
前記スラストの傾斜角は、１°〜１５°であることを特徴とする、請求項３に記載のスピンドルモーター。
【請求項５】
前記固定部は、
前記回転軸を回転可能に支持するベアリング；
前記ベアリングが挿支され、前記マグネットと作用して電磁気力を形成する電気子を備えるベアリングホルダー；
前記ベアリングホルダーが垂直に立設されるプレート；及び
前記電気子に外部電力を供給し、前記プレートに結合されたプリント基板；を含むことを特徴とする、請求項１に記載のスピンドルモーター。
【請求項６】
前記固定部は、
前記回転軸がベアリングに挿入された後、回転力による回転部の離脱を制限するためにベアリングの下部に形成されたストッパー；
前記回転軸を支持するためのサポート；及び
前記回転軸の回転の際、サポートと回転軸の直接的な摩擦を防止して摩耗を防止するためのスラスト；をさらに含み、
前記スラストは回転軸の円周方向で一側に傾いたことを特徴とする、請求項５に記載のスピンドルモーター。
【請求項７】
前記回転部は、
前記固定部に回転可能に支持された回転軸；
前記回転軸の端部に固定され、電気子に対応するようにマグネットが内側に結合されたローターケース；及び
前記ローターケースの上部に位置する記録媒体を弾支するクランプ；を含むことを特徴とする、請求項１に記載のスピンドルモーター。
【請求項８】
マグネットを備えるローターケースと回転軸を含む回転部；及び
前記回転軸を回転可能に支持するベアリングを備えて前記ローターケースを回転可能に支持し、前記マグネットに対向する電気子を備える固定部；を含み、
前記回転軸は前記固定部に対する垂直方向に傾いた状態で回転され、前記ベアリングは傾いた回転軸に対応するように傾いたことを特徴とする、スピンドルモーター。
【請求項９】
前記回転軸及び前記ベアリングは、前記固定部に対する垂直方向に対して１°〜１５°だけ傾いたことを特徴とする、請求項８に記載のスピンドルモーター。
【発明の詳細な説明】
【技術分野】
【０００１】
本発明は、スピンドルモーターに関する。
【背景技術】
【０００２】
一般に、スピンドルモーターは、ベアリングと回転軸の間に一定の接触区間を維持しながら回転軸が回転することで回転特性を維持することができ、これによりハードディスクドライブ、光ディスクドライブ（ＯＤＤ；Ｏｐｔｉｃａｌ Ｄｉｓｋ Ｄｒｉｖｅ）などの高速回転を要求する記録媒体の駆動手段として広く利用されている。
【０００３】
しかし、従来技術によるスピンドルモーターは、低速で回転する場合、ベアリングと回転軸間の遊隙によってローターケースが均一に回転することができない問題点を持っている。
【０００４】
以下、図面に基づいて従来技術によるスピンドルモーターの問題点を詳細に説明する。
【０００５】
図１は、従来技術によるスピンドルモーターを概略的に示す部分断面図である。
【０００６】
同図に示すように、前記スピンドルモーター１００は、回転部１１０と固定部１２０を含む。そして、前記回転部１１０は、クランプ１１１、ローターケース１１２、マグネット１１３及び回転軸１１４を含み、固定部１２０は、コイル１２１、コア１２２、ベアリング１２３、ベアリングホルダー１２４、ストッパー１２５、スラスト１２６、サポート１２７、プリント基板１２８及びベース１２９を含む。
【０００７】
より具体的に、前記回転部１１０において、前記回転軸１１４は、固定部１２０のベアリング１２３に回転可能に支持される。
【０００８】
そして、前記ローターケース１１２は、前記回転軸の端部に固定され、前記コイル１２１及びコア１２２でなる電気子に対応するようにマグネット１１３が内側に結合され、前記クランプ１１１は、前記ローターケースの上部に位置する記録媒体を弾支する。
【０００９】
また、前記固定部１２０において、前記ベアリング１２３は、前記回転軸１１４を回転可能に支持し、中心が回転軸１１４の中心軸と一致するように、ベアリングホルダー１２４の内部に固定される。
【００１０】
そして、前記ベアリングホルダー１２４には、前記ベアリング１２３が挿支され、外部電源を受けて前記マグネットと作用して電磁気力を形成するためにコア１２２に巻線されるコイル１２１を備える電気子が装着され、前記ストッパー１２５は、前記回転軸１１４がベアリング１２３に挿入された後、回転力による回転部の離脱を制限するために、ベアリング１２３の下部に形成される。
【００１１】
そして、前記スラスト１２６は、前記回転軸１１４の回転の際、サポート１２７と回転軸１１４の直接的な摩擦及び摩耗を防止するためのものであり、前記サポート１２７は、前記回転軸１１４、ストッパー１２５及びスラスト１２６を支持するためのものである。
【００１２】
また、前記プリント基板１２８は、前記電気子に外部電力を供給するために前記ベース１２９に装着され、前記ベース１２９には、前記ベアリングホルダー１２４が垂直に立設される。
【００１３】
このような構成により、前記電気子１２１、１２２に電流が印加されれば、電気子とマグネット１１３の間に形成された電磁気力によって、回転軸１１４及びローターケース１１２が一体的に回転する。
【００１４】
一方、前記ローターケース１１２の低速回転の際には、前記ベアリング１２３と回転軸１１４間の遊隙によって回転軸が一定に回転することができなく、ベアリングの内径部に不規則に衝突することになってローターケース１１２は均一に回転することができなくなる。また、前記スピンドルモーターが光ディスクの裏面、つまりラベル面にレーザービームでイメージを形成することができる光ディスク装置に使われるスピンドルモーターに具現される場合、光ディスクのラベル面に形成されるイメージの品質が低下する問題点を持っている。
【発明の概要】
【発明が解決しようとする課題】
【００１５】
したがって、本発明は、前記のような問題点を解決するためになされたもので、本発明の目的は、ローターケースの低速回転の際、前記固定部に対して傾いた状態で回転することで均一な回転が可能であり、光ディスクのラベル面形成のためのスピンドルモーターに具現される場合、ラベル面のイメージ品質が向上するスピンドルモーターを提供することである。
【課題を解決するための手段】
【００１６】
前記目的を達成するために、本発明は、マグネットを備えるローターケースと回転軸を含む回転部；及び前記回転部を回転可能に支持し、前記マグネットに対向する電気子を備える固定部；を含み、前記ローターケースの低速回転の際、前記回転軸は前記固定部に対する垂直方向に対して傾いた状態で回転する、スピンドルモーターを提供する。
【００１７】
前記ローターケースの低速回転の際、前記回転軸は、前記固定部に対する垂直方向に対して１°〜１５°だけ傾くことができる。
【００１８】
前記固定部は、前記回転軸の下部を支持するスラストを含み、前記スラストは、回転軸の円周方向で一側に傾くことができる。
【００１９】
前記スラストの傾斜角は、１°〜１５°であってもよい。
【００２０】
前記固定部は、前記回転軸を回転可能に支持するベアリング；前記ベアリングが挿支され、前記マグネットと作用して電磁気力を形成する電気子を備えるベアリングホルダー；前記ベアリングホルダーが垂直に立設されるプレート；及び前記電気子に外部電力を供給し、前記プレートに結合されたプリント基板；を含むができる。
【００２１】
前記固定部は、前記回転軸がベアリングに挿入された後、回転力による回転部の離脱を制限するためにベアリングの下部に形成されたストッパー；前記回転軸を支持するためのサポート；及び前記回転軸の回転の際、サポートと回転軸の直接的な摩擦を防止して摩耗を防止するためのスラスト；をさらに含み、前記スラストは、回転軸の円周方向で一側に傾くことができる。
【００２２】
前記回転部は、前記固定部に回転可能に支持された回転軸；前記回転軸の端部に固定され、電気子に対応するようにマグネットが内側に結合されたローターケース；及び前記ローターケースの上部に位置する記録媒体を弾支するクランプ；を含むことができる。
【００２３】
また、前記目的を達成するために、本発明は、マグネットを備えるローターケースと回転軸を含む回転部；及び前記回転軸を回転可能に支持するベアリングを備えて前記ローターケースを回転可能に支持し、前記マグネットに対向する電気子を備える固定部；を含み、前記回転軸は前記固定部に対する垂直方向に傾いた状態で回転され、前記ベアリングは傾いた回転軸に対応するように傾いたスピンドルモーターを提供する。
【００２４】
前記回転軸及び前記ベアリングは、前記固定部に対する垂直方向に対して１°〜１５°だけ傾くことができる。
【００２５】
本発明の特徴及び利点は、添付図面に基づいた以降の詳細な説明からより明らかになるであろう。
【００２６】
本発明の詳細な説明に先立ち、本明細書及び請求範囲に使用された用語や単語は、通常的で辞書的な意味に解釈されてはいけなく、発明者がその自分の発明を最善の方法で説明するために用語の概念を適切に定義することができるという原則にしたがって本発明の技術的思想にかなう意味と概念に解釈されなければならない。
【発明の効果】
【００２７】
本発明によれば、ローターケースの低速回転の際、前記固定部に対して傾いた状態で回転することで均一な回転が可能であり、光ディスクのラベル面形成のためのスピンドルモーターに具現される場合、ラベル面のイメージ品質が向上するスピンドルモーターを提供する効果を持つ。
【図面の簡単な説明】
【００２８】
【図１】従来技術によるスピンドルモーターを概略的に示す断面図である。
【図２】本発明の第１実施例によるスピンドルモーターを概略的に示す断面図である。
【図３】本発明の第２実施例によるスピンドルモーターを概略的に示す断面図である。
【発明を実施するための形態】
【００２９】
本発明の目的、特定の利点及び新規の特徴は、添付図面を参照する以下の詳細な説明及び好適な実施例から一層明らかに理解可能であろう。本明細書において、各図面の構成要素に参照番号を付け加えるにあたり、同じ構成要素がたとえ他の図面に図示されていても、できるだけ同じ符号を付けることにする。また、本発明の説明において、関連の公知技術についての具体的な説明が本発明の要旨を不要にあいまいにすることができると判断されればその詳細な説明は省略する。
【００３０】
以下、添付図面を参照して、本発明の好適な実施例によるスピンドルモーターについて詳細に説明する。
【００３１】
図２は、本発明の第１実施例によるスピンドルモーターを概略的に示す断面図である。
【００３２】
同図に示すように、前記スピンドルモーター２００は、回転部２１０と固定部２２０を含む。そして、前記回転部２１０は、クランプ２１１、ローターケース２１２、マグネット２１３及び回転軸２１４を含み、固定部２２０は、コイル２２１、コア２２２、ベアリング２２３、ベアリングホルダー２２４、ストッパー２２５、スラスト２２６、サポート２２７、プリント基板２２８及びベース２２９を含む。
【００３３】
より具体的に、前記回転部２１０において、前記回転軸２１４は、固定部２２０のベアリング２２３に回転可能に支持される。
【００３４】
そして、前記ローターケース２１２は、前記回転軸の端部に固定され、前記コイル２２１及びコア２２２でなる電気子に対応するようにマグネット２１３が内側に結合される。
【００３５】
前記クランプ２１１は、前記ローターケース２１２の上部に位置する記録媒体を弾支する。
【００３６】
また、前記固定部２２０において、前記ベアリング２２３は、前記回転軸２１４を回転可能に支持するもので、金属などの材質の円筒状でなり、中心が回転軸２１４の中心軸と一致するようにベアリングホルダー２２４の内部に固定される。
【００３７】
また、前記ベアリングホルダー２２４には、前記ベアリング２２３が挿支され、外部電源を受けて前記マグネットと作用して電磁気力を形成するために、コア２２２に巻線されるコイル２２１を備える電気子が前記回転軸の円周方向の外側部に装着される。
【００３８】
前記ストッパー２２５は、前記回転軸２１４がベアリング２２３に挿入された後、回転力による回転部の離脱を制限するために、ベアリング２２３の下部に形成される。
【００３９】
そして、前記スラスト２２６は、前記回転軸２１４の回転の際、サポート２２７と回転軸２１４の直接的な摩擦及び摩耗を防止するためのものである。
【００４０】
そして、前記サポート２２７は、前記回転軸２１４、ストッパー２２５及びスラスト２２６を支持するためのものである。
【００４１】
そして、前記プリント基板２２８は、前記電気子に外部電力を供給するために前記ベース２２９に装着され、前記ベース２２９には、前記ベアリングホルダー２２４が垂直に立設される。
【００４２】
前記のような構成により、前記電気子２２１、２２２に電流が印加されれば、電気子とマグネット２１３の間に形成された電磁気力によって、回転軸２１４及びローターケース２１２は、一体的に回転する。
【００４３】
また、本発明の第１実施例による前記スラスト２２６は、前記回転軸２１４の円周方向で一側に傾くように形成される。そして、これにより、前記ローターケース２１２の低速回転の際、前記回転軸２１４は、固定部に対する垂直方向に対して、つまり、前記ベアリング２２３に対して傾いた状態で回転する。そして、前記回転軸２１４の傾斜角も１°〜１５°に具現されることが好ましく、このために、前記スラストの傾斜角は、１°〜１５°であることが好ましい。このような構成により、前記ローターケース２１２の低速回転の際にも、前記回転軸２１４は、ベアリング２２３との遊隙によって勝手に衝突しないで、均一な回転が可能になる。
【００４４】
また、前記ローターケース２１２が高速で回転する場合、回転力によって前記回転部は、再び直立状態に復元される。
【００４５】
図３は、本発明の第２実施例によるスピンドルモーターを概略的に示す断面図である。
【００４６】
同図に示すように、前記スピンドルモーター３００は、回転部３１０と固定部３２０を含む。そして、前記回転部３１０は、クランプ３１１、ローターケース３１２、マグネット３１３及び回転軸３１４を含み、固定部３２０は、コイル３２１、コア３２２、ベアリング３２３、ベアリングホルダー３２４、ストッパー３２５、スラスト３２６、サポート３２７、プリント基板３２８及びベース３２９を含む。
【００４７】
また、第２実施例によるスピンドルモーターは、第１実施例によるスピンドルモーターにおいて、傾いた回転軸３１４に対応するようにベアリング３２３が傾いてベアリングホルダー３２４に装着される。また、前記回転軸３１４及び前記ベアリング３２３は、固定部の垂直方向に対して１°〜１５°だけ傾く。このような構成により、前記ローターケース３１２の低速回転の際にも、前記回転軸３１４は、ベアリング３２３との遊隙によって勝手に衝突しないで、均一な回転が可能になる。
【００４８】
以上、本発明を具体的な実施例に基づいて詳細に説明したが、これは本発明を具体的に説明するためのもので、本発明によるスピンドルモーターは、これに限定されなく、本発明の技術的思想内で当該分野の通常の知識を持つ者によって多様な変形及び改良が可能であろう。本発明の単純な変形ないし変更は、いずれも本発明の範疇内に属するもので、本発明の具体的な保護範囲は、特許請求範囲によって明らかに決まるであろう。
【産業上の利用可能性】
【００４９】
本発明は、ローターケースの低速回転の際、前記固定部に対して傾いた状態で回転することで均一な回転が可能であり、光ディスクのラベル面形成のためのスピンドルモーターに具現される場合、ラベル面のイメージ品質が向上するスピンドルモーターに適用可能である。
【符号の説明】
【００５０】
１００、２００、３００    スピンドルモーター
１１０、２１０、３１０    回転部
１２０、２２０、３２０    固定部
１１１、２１１、３１１    クランプ
１１２、２１２、３１２    ローターケース
１１３、２１３、３１３    マグネット
１１４、２１４、３１４    回転軸
１２１、２２１、３２１    コイル
１２２、２２２、３２２    コア
１２３、２２３、３２３    ベアリング
１２４、２２４、３２４    ベアリングホルダー
１２５、２２５、３２５    ストッパー
１２６、２２６、３２６    スラスト
１２７、２２７、３２７    サポート
１２８、２２８、３２８    プリント基板
１２９、２２９、３２９    ベース
【図１】
2012034563.tif 000003
【図２】
2012034563.tif 000004
【図３】
2012034563.tif 000005